(57)【要約】【課題】バケット全体の軽量化を図るとともに、バケットの構造を簡易化し、低コスト化できるバケット搭載用油圧ユニットを提供すること。【解決手段】バケットに搭載して使用される油圧ユニットであって、正逆転駆動可能な電動モータ１と、この電動モータ１によって回転駆動される油圧モータ２とを備え、この油圧モータ２から吐出される作動油が作動油路を介してバケットの開閉操作を行う油圧シリンダ１０に供給されるようにする。【選択図】図１Ｂ
2015108401.tif 000002
【特許請求の範囲】
【請求項１】
バケットに搭載して使用される油圧ユニットであって、正逆転駆動可能な電動モータと、該電動モータによって回転駆動される油圧モータとを備え、該油圧モータから吐出される作動油が作動油路を介してバケットの開閉操作を行う油圧シリンダに供給されるようにしてなることを特徴とするバケット搭載用油圧ユニット。
【請求項２】
作動油路に、作動油タンクから作動油の不足分を供給するチェック弁と、作動油タンクに作動油の余剰分を排出する油圧パイロット切替弁とを備えてなることを特徴とする請求項１記載のバケット搭載用油圧ユニット。
【発明の詳細な説明】
【技術分野】
【０００１】
本発明は、油圧ユニットに関し、特に、バケットに搭載して使用される油圧ユニットに関するものである。
【背景技術】
【０００２】
従来、石炭、砂利、鉱石、ごみ等のばら物を掴み上げ、放出する作業を行うために、ばら物を掴むようにしたバケットを、ワイヤロープによって吊り下げるようにしたクレーンが汎用されている。
【０００３】
ところで、この種のクレーンに吊り下げるようにしたバケットの開閉操作を行うために、バケットに油圧ユニットを搭載するようにしている（例えば、特許文献１参照。）。
【０００４】
この油圧ユニットは、バケットの開閉操作を行うための１対の油圧シリンダを伸縮動作させるように、具体的には、電動モータによって油圧ポンプを駆動し、この油圧ポンプから吐出される作動油を電磁方向制御弁を介して油圧シリンダに選択的に供給して、油圧シリンダを伸縮動作させ、これによって、バケットの開閉操作を行うように構成されている。
【先行技術文献】
【特許文献】
【０００５】
【特許文献１】特開平９−１９４１８４号公報
【発明の概要】
【発明が解決しようとする課題】
【０００６】
ところで、上記従来のバケットに搭載して使用される油圧ユニットは、作動油を油圧シリンダに選択的に供給するために、重量が大きく、かつ、電気配線が必要な電磁方向制御弁を必要とし、このため、バケット全体の重量が大きくなるとともに、バケットの構造が複雑となり、製造やメンテナンスに手数を要するため、高コストになるという問題があった。
【０００７】
本発明は、上記従来のバケットに搭載して使用される油圧ユニットの有する問題点に鑑み、バケット全体の軽量化を図るとともに、バケットの構造を簡易化し、低コスト化できるバケット搭載用油圧ユニットを提供することを目的とする。
【課題を解決するための手段】
【０００８】
上記目的を達成するため、本発明のバケット搭載用油圧ユニットは、バケットに搭載して使用される油圧ユニットであって、正逆転駆動可能な電動モータと、該電動モータによって回転駆動される油圧モータとを備え、該油圧モータから吐出される作動油が作動油路を介してバケットの開閉操作を行う油圧シリンダに供給されるようにしてなることを特徴とする。
【０００９】
この場合において、作動油路に、作動油タンクから作動油の不足分を供給するチェック弁と、作動油タンクに作動油の余剰分を排出する油圧パイロット切替弁とを備えることができる。
【発明の効果】
【００１０】
本発明のバケット搭載用油圧ユニットによれば、重量が大きく、かつ、電気配線が必要な電磁方向制御弁及び油圧ポンプに代えて、油圧モータを用いることにより、バケット全体の軽量化を図るとともに、バケットの構造を簡易化し、低コスト化したバケット搭載用油圧ユニットを提供することができる。
【００１１】
また、作動油路に、作動油タンクから作動油の不足分を供給するチェック弁と、作動油タンクに作動油の余剰分を排出する油圧パイロット切替弁とを備えることにより、油圧ユニットを作動油の過不足なく運転することができる。
【図面の簡単な説明】
【００１２】
【図１Ａ】本発明のバケット搭載用油圧ユニットの一実施例を示す油圧回路の構成図である。
【図１Ｂ】同油圧回路の概略構成図である。
【図２Ａ】本発明のバケット搭載用油圧ユニットによりバケットを閉動作させる場合の油圧回路の構成図である。
【図２Ｂ】同油圧回路の概略構成図である。
【図３Ａ】本発明のバケット搭載用油圧ユニットによりバケットを開動作させる場合の油圧回路の構成図である。
【図３Ｂ】同油圧回路の概略構成図である。
【発明を実施するための形態】
【００１３】
以下、本発明のバケット搭載用油圧ユニットの実施の形態を、図面に基づいて説明する。
【００１４】
図１Ａ及び図１Ｂに、本発明のバケット搭載用油圧ユニットの一実施例を示す。
このバケット搭載用油圧ユニットは、例えば、クレーンにワイヤロープによって吊り下げられるバケットに搭載して使用され、バケットの開閉操作を行うための１対の油圧シリンダ１０を伸縮動作させるためのもので、正逆転駆動可能な電動モータ１と、この電動モータ１によって回転駆動される油圧モータ２とを備え、この油圧モータ２から吐出される作動油が作動油路を介してバケットの開閉操作を行う油圧シリンダ１０に供給されるようにしている。
【００１５】
そして、作動油路には、作動油タンク３からサクションフィルタ４を介して作動油の不足分を供給するチェック弁６及び作動油タンク３に作動油の余剰分を排出する油圧パイロット切替弁７を備え、さらに、圧力調整用のリリーフ弁５、作動油の流れを制御するパイロットチェック弁８及びカウンタバランス弁９を備えるようにしている。
【００１６】
ここで、油圧モータ２には、正逆転駆動可能な電動モータ１によって回転駆動されることによって、作動油の流れを可逆にする機能を備えたもので、例えば、ギヤ方式、ピストン方式等の汎用の油圧モータを用いることができ（本実施例においては、イートン社製ギヤモータ（ＭＢシリーズ）を用いるようにしている。）、この油圧モータ２を正逆転駆動可能な電動モータ１によって回転駆動することによって、ポンプとして機能させるようにしている。
【００１７】
次に、このバケット搭載用油圧ユニットを用いて、バケットを閉動作させる場合について、図２Ａ及び図２Ｂを用いて説明する。
電動モータ１を正転駆動させると、油圧モータ２が回転駆動され、図２Ａにおいて、油圧モータ２を挟んで作動油路の上から下に向けて、図２Ｂにおいて、油圧モータ２を挟んで作動油路の右から左に向けての作動油の流れが発生し（図中（１））、作動油は、作動油路を介して、油圧シリンダ１０のヘッド側ポートに供給される（図中（２））。
そして、Ａラインの圧力でＴラインのパイロットチェック弁８及びカウンタバランス弁９が開かれる（図中（３）及び（４））。
このとき、油圧シリンダ１０のロッド側ポートから、作動油路を介して、作動油が吸い込まれるが（図中（５））、作動油に不足があるときは、作動油タンク３からサクションフィルタ４及びチェック弁６を介して作動油の不足分が供給される（図中（６））。
このようにして、油圧モータ２から吐出された作動油は、作動油路を介して、油圧シリンダ１０のヘッド側ポートに供給され、バケットが閉動作され、閉状態が維持される。
【００１８】
次に、このバケット搭載用油圧ユニットを用いて、バケットを開動作させる場合について、図３Ａ及び図３Ｂを用いて説明する。
電動モータ１を逆転駆動させると、油圧モータ２が回転駆動され、先とは逆方向、すなわち、図３Ａにおいて、油圧モータ２を挟んで作動油路の下から上に向けて、図３Ｂにおいて、油圧モータ２を挟んで作動油路の左から右に向けての作動油の流れが発生し（図中（１））、作動油は、作動油路を介して、油圧シリンダ１０のロッド側ポートに供給される（図中（２））。
そして、Ｂラインの圧力でＴラインの油圧パイロット切替弁７が切り替わる（図中（３））とともに、パイロットチェック弁８が開かれる（図中（４））。
このとき、油圧シリンダ１０のヘッド側ポートから、作動油路を介して、作動油が吸い込まれるが（図中（５））、作動油に余剰があるときは、油圧パイロット切替弁７から作動油の余剰分が作動油タンク３に排出される（図中（６））。
このようにして、油圧モータ２から吐出された作動油は、作動油路を介して、油圧シリンダ１０のロッド側ポートに供給され、バケットが開動作され、開状態が維持される。
【００１９】
以上、本発明のバケット搭載用油圧ユニットについて、その実施例に基づいて説明したが、本発明は上記実施例に記載した構成に限定されるものではなく、その趣旨を逸脱しない範囲において適宜その構成を変更することができるものである。
【産業上の利用可能性】
【００２０】
本発明のバケット搭載用油圧ユニットは、バケット全体の軽量化を図るとともに、バケットの構造を簡易化し、低コスト化できることから、クレーンにワイヤロープによって吊り下げられるバケットに搭載して使用される油圧ユニットの用途に好適に用いることができる。
【符号の説明】
【００２１】
１  電動モータ
２  油圧モータ
３  作動油タンク
４  サクションフィルタ
５  リリーフ弁
６  チェック弁
７  油圧パイロット切替弁
８  パイロットチェック弁
９  カウンタバランス弁
１０  油圧シリンダ
【図１Ｂ】
2015108401.tif 000003
【図２Ｂ】
2015108401.tif 000004
【図３Ｂ】
2015108401.tif 000005
【図１Ａ】
2015108401.tif 000006
【図２Ａ】
2015108401.tif 000007
【図３Ａ】
2015108401.tif 000008